(57)【特許請求の範囲】
【請求項１】
外側軌道輪（１１）と内側軌道輪（１２）との間に転動体（１３）を組み込み、前記外側軌道輪（１１）と前記内側軌道輪（１２）との間に形成された軸受空間の少なくとも軸方向一端の開口をシールリング（２０）で覆い、そのシールリング（２０）に形成された通油孔（２２）を覆うフィルタ（２３）により潤滑オイルに含まれる異物を捕捉するようになっており、前記フィルタ（２３）の軸方向内側に、磁力の作用により異物を吸着する磁性体（１）を設け、
前記磁性体（１）は、前記フィルタ（２３）の軸方向内側に隣接して設けられている転がり軸受。
【請求項２】
外側軌道輪（１１）と内側軌道輪（１２）との間に転動体（１３）を組み込み、前記外側軌道輪（１１）と前記内側軌道輪（１２）との間に形成された軸受空間の少なくとも軸方向一端の開口をシールリング（２０）で覆い、そのシールリング（２０）に形成された通油孔（２２）を覆うフィルタ（２３）により潤滑オイルに含まれる異物を捕捉するようになっており、前記フィルタ（２３）の軸方向内側に、磁力の作用により異物を吸着する磁性体（１）を設け、
前記フィルタ（２３）及び前記磁性体（１）と前記シールリング（２０）とはインサート成型により一体であり、
前記磁性体（１）は、通油孔（２２）の内面に露出して設けられている転がり軸受。
【請求項３】
前記磁性体（１）の磁力による吸着力が、前記フィルタ（２３）よりも軸方向内側部分の潤滑油に混入した異物には及びやすく、軸方向外側部分の潤滑油に混入した異物には及びにくいように、前記フィルタ（２３）の軸方向内側面と前記磁性体（１）の軸方向外側面との間に間隔（ｗ）を設けた請求項１又は２に記載の転がり軸受。
【請求項４】
前記フィルタ（２３）及び前記磁性体（１）と前記シールリング（２０）とはインサート成型により一体である請求項１に記載の転がり軸受。
【請求項５】
前記磁性体（１）よりも軸方向内側に、前記磁性体（１）から脱落した異物を保持する異物溜まり（３）が設けられている請求項１から４のいずれか一つに記載の転がり軸受。
【発明の詳細な説明】
【技術分野】
【０００１】
この発明は、オイル潤滑される転がり軸受に係り、詳しくは、フィルタを通して流入するオイルで潤滑される転がり軸受に関するものである。
【背景技術】
【０００２】
自動車や各種建設用機械等の動力伝達機構や走行装置等、あるいは、原動機や油圧ポンプ、その他各種産業機械の可動部には、転がり軸受が組み込まれている。この転がり軸受は、例えば、膜厚比Λが低い等の潤滑状況が悪い環境下で使用すると、潤滑油に摩耗粉（鉄粉等）やその他の異物が混入する可能性がある箇所等、比較的過酷な使用条件で用いられる場合もある。
【０００３】
潤滑状況が悪い環境で、機械の連続運転により潤滑油に大きな異物が混入すると、軸受の一部が損傷を受けて、軸受の寿命が短くなってしまうことがある。
【０００４】
このため、軸受の寿命を延伸するために、軸受空間に異物が入り込むことを阻止するフィルタを設ける技術がある。このフィルタは、軸受空間の側部を閉じるシールリングにオイル流通用の通油孔を設け、その通油孔に異物を捕捉するためのフィルタを取付けたものである（例えば、特許文献１〜４参照）。
【先行技術文献】
【特許文献】
【０００５】
【特許文献１】特開平６−３２３３３５号公報
【特許文献２】特開２００２−２５０３５４号公報
【特許文献３】特開２０１２−２０２４１７号公報
【特許文献４】特開２０１２−１０２７６７号公報
【発明の概要】
【発明が解決しようとする課題】
【０００６】
特許文献１では、転がり軸受の用途に合わせて、フィルタの多孔度を、求められる最適寿命や潤滑特性に基づき決定している（明細書段落０００９参照）。しかし、過酷な使用条件の場合には、軸受空間内外の潤滑油の円滑な流通と、軸受空間内への異物の侵入防止の両方の機能を発揮できない場合もある。また、異物を確実に捕捉するためにフィルタの目を小さくすると、そのフィルタが異物によって目詰まりを起こした場合、潤滑不良に陥る可能性がある。
【０００７】
特許文献２では、フィルタを多段構造として、軸受外側のフィルタを粗くし内側を細かくすることで目詰まりを回避し、且つ、異物を除去できるとされている。しかし、確認試験によれば、混入異物の大きさよりも細かいフィルタメッシュを用いても、軸受は短寿命となっている（特許文献２の比較例２，３，４参照）。これらの試験より、メッシュ粗さのばらつきや異物の大きさのばらつきにより、部分的に「フィルタ粗さ＞異物の大きさ」となり、異物がメッシュを通過していたことが推測される。
【０００８】
また、この種のフィルタ構造では、捕捉された異物が潤滑油の流れで攪拌されて、再度浮遊する恐れがある。
【０００９】
この点、特許文献３では、フィルタのメッシュ部分の周辺に永久磁石を設置し、磁力の作用により異物を吸着させ捕捉している。しかし、この構造では、軸受の外部に存在する異物を、逆に軸受付近に集めてしまうこととなる。また、永久磁石が軸受空間の外側に直接臨んでいるので異物の吸着量が多く、軸受の連続運転等によって、異物の吸着量が磁力の許容範囲（磁力による吸着能力）を超えた時に、大量の異物がまとめて脱落するなどの危険がある。
【００１０】
特許文献４では、捕捉した異物を脱落させない工夫がされている。しかし、この構造では、フィルタ及びシールリングが大きくなってしまうという問題点がある。また、この構造は、軸受の外部から浸入する異物に対応するものであり、軸受内部で発生した軸受部材の摩耗粉や、フィルタを通過するような小さな異物に対する対応はできない。
【００１１】
そこで、この発明の課題は、転がり軸受の潤滑性能を維持しながら、軸受空間内に異物が浮遊することをより確実に防止することである。
【課題を解決するための手段】
【００１２】
上記の課題を解決するため、この発明は、外側軌道輪と内側軌道輪との間に転動体を組み込み、前記外側軌道輪と前記内側軌道輪との間に形成された軸受空間の少なくとも軸方向一端の開口をシールリングで覆い、そのシールリングに形成された通油孔を覆うフィルタにより潤滑オイルに含まれる異物を捕捉するようになっており、前記フィルタの軸方向内側に、磁力の作用により異物を吸着する磁性体を設けた転がり軸受を採用した。
【００１３】
ここで、前記磁性体は、前記フィルタの軸方向内側に隣接して設けられている構成を採用することができる。
【００１４】
これらの各構成によれば、フィルタを通じて流通する潤滑油により、転がり軸受の潤滑性能を維持しながら、フィルタよりも軸方向内側では、磁力の作用により軸受空間内の異物を磁性体に吸着させることができる。これにより、軸受空間内に異物が浮遊することをより確実に防止することができる。
【００１５】
また、磁性体は、フィルタの軸方向内側に設けられるから、軸受の外部に存在する異物を軸受付近に集めてしまう事態を回避できる。また、磁性体が軸受の外側空間に直接臨んでおらず、磁性体の軸方向外側にはフィルタが介在しているから、その磁性体への異物の吸着量は比較的少なく、大量に吸着した異物がまとめて脱落するなどの危険が少ない。
【００１６】
また、上記の構成において、前記磁性体の磁力による吸着力が、前記フィルタよりも軸方向内側部分の潤滑油に混入した異物には及びやすく、軸方向外側部分の潤滑油に混入した異物には及びにくいように、前記フィルタの軸方向内側面と前記磁性体の軸方向外側面との間に間隔を設けた構成を採用することができる。
【００１７】
さらに、前記フィルタ及び前記磁性体と前記シールリングとはインサート成型により一体である構成を採用することができる。
【００１８】
また、前記磁性体は、通油孔の内面に露出して設けられている構成を採用することができる。さらに、前記磁性体よりも軸方向内側に、前記磁性体から脱落した異物を保持する異物溜まりが設けられている構成を採用することができる。
【発明の効果】
【００１９】
この発明は、フィルタを通じて流通する潤滑油により、転がり軸受の潤滑性能を維持しながら、フィルタよりも軸方向内側では、磁力の作用により軸受空間内の異物を磁性体に吸着させることができる。これにより、軸受空間内に異物が浮遊することをより確実に防止することができる。
【図面の簡単な説明】
【００２０】
【図１】この発明の一実施形態を示し、（ａ）は転がり軸受の要部断面図、（Ｂ）は（ａ）の拡大図、（ｃ）は（ａ）の側面図
【図２】（ａ）（ｂ）は、シールリングの一部切断斜視図
【図３】（ａ）はシールリングの側面図、（ｂ）は（ａ）の断面図
【図４】（ａ）（ｂ）は、図１の実施形態の変形例を示す断面図
【図５】他の実施形態を示し、（ａ）は転がり軸受の要部断面図、（ｂ）は（ａ）の側面図
【図６】さらに他の実施形態を示す要部断面図
【図７】さらに他の実施形態を示す要部断面図
【発明を実施するための形態】
【００２１】
以下、この発明の実施形態を図面に基づいて説明する。図１は、この発明に係る転がり軸受１０の要部拡大断面図を示す。
【００２２】
この転がり軸受１０は、油圧ポンプの可動部に組み込まれる円すいころ軸受である。転がり軸受１０の構成は、図１に示すように、外側軌道輪１１と内側軌道輪１２の各軌道面１１ａ，１２ａの間に、転動体１３として円すいころが組み込まれている。転動体１３は、内側軌道輪１２の大つば１２ｂと小つば１２ｃとの間に配置され、保持器１４によって周方向に沿って保持されている。
【００２３】
内側軌道輪１２の軌道面１２ａと外側軌道輪１１の軌道面１１ａとは、図中右側の軸方向一端側から図中左側の他端側に向かって、互いの距離が狭まるように設けられている。
【００２４】
油圧ポンプのケーシング内において、この転がり軸受１０と、油圧ポンプの各部における他の可動部とは、共通の潤滑用のオイルで潤滑されるようになっている。すなわち、転がり軸受１０の少なくとも一部は潤滑油に浸かった状態であり、転がり軸受１０と他の可動部が、ケーシング内で流通する共通の潤滑油によって潤滑されるようになっている。
【００２５】
ここで、内側軌道輪１２を固定側、外側軌道輪１１を回転側とする場合もあるし、内側軌道輪１２を回転側、外側軌道輪１１を固定側とする場合もある。
【００２６】
転がり軸受１０の軸方向一端に、シール部材Ｓが取付けられる。シール部材Ｓは、図１に示すように、外側軌道輪１１と内側軌道輪１２との間の軸受空間における軸方向一端の開口を覆うように取付けられる。なお、必要であれば、軸方向他端側の開口に、同様なシール部材Ｓを取付けてもよい。これらの開口が、潤滑油の流通経路となっている。
【００２７】
シール部材Ｓの構成は、転がり軸受１０の内側軌道輪１２に係止される係止部２１と、その係止部２１から外径側に向かって立ち上がる壁部２５と、その壁部２５の外径側端部に設けたリップ取付部２７とを一体に有するシールリング２０（シールリングの本体）を備える。
【００２８】
シールリング２０は樹脂で構成され、そのシールリング２０の壁部２５に形成された通油孔２２を覆うように、同じく樹脂からなるフィルタ２３がインサート成型により一体とされている。
【００２９】
フィルタ２３は、一定の厚さを有するシート状のメッシュ部材であり、通油孔２２の長さ方向（シールリング２０の厚さ方向）のほぼ中央部に位置する。そのフィルタ２３の周縁部が、通油孔２２の周囲においてシールリング２０の樹脂に埋め込まれて固定されている。
【００３０】
フィルタ２３やシールリング２０の素材としては、この実施形態では、ポリアミド樹脂等を採用しているが、他の樹脂を採用してもよい。他の樹脂としては、例えば、ポリアセタール（ＰＯＭ）、ポリカーボネート（ＰＣ）、ポリエチレンテレフタレート（ＰＥＴ）、ポリブチレンテレフタレート（ＰＢＴ）、ポリエーテルエーテルケトン（ＰＥＥＫ）、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、ポリイミド（ＰＩ）、ポリエーテルイミド（ＰＥＩ）などがある。また、それらの樹脂を用いたガラス繊維強化樹脂としてもよい。ガラス繊維強化樹脂としては、例えば、ＰＡ（ポリアミド）４６＋ＧＦ、あるいは、ＰＡ（ポリアミド）６６＋ＧＦといったものを採用できる。
【００３１】
また、これらのフィルタ２３やシールリング２０の素材として、ガラス繊維強化樹脂の他、炭素繊維強化樹脂やポリエチレン繊維強化樹脂又はアラミド繊維強化樹脂等も適用できる。
【００３２】
シールリング２０のリップ取付部２７には、円環部材４０が固定されている。円環部材４０はゴム製であり、シールリング２０の素材よりも柔らかい素材となっている。円環部材４０は、リップ取付部２７に嵌め込んで固定される。この円環部材４０の素材としては、例えば、合成ゴムでは、ニトリルゴム、アクリルゴム、ウレタンゴム、フッ素ゴム等を採用することができる。
【００３３】
この実施形態では、シールリング２０のリップ取付部２７の形状は断面コの字状になっているが、リップ取付部２７の形状は他の形状であってもよい。
【００３４】
通油孔２２は、図２及び図３に示すように、側面視長楕円形状の長孔を成す。この通油孔２２が、シールリング２０の周方向に沿って間隔をおいて複数設けられている。通油孔２２の形状や数、配置間隔は適宜設定することができる。通油孔２２の形状は、例えば、側面視長方形状の長孔や、側面視円形あるいは矩形、多角形状の孔等であってもよい。
【００３５】
フィルタ２３の構成としては、メッシュサイズが０．１〜１ｍｍ程度の網目状の樹脂を採用し得る。ここでは、メッシュサイズが０．５ｍｍの網目状の樹脂を採用しているが、フィルタ２３のメッシュサイズは、捕捉しようとする異物の径に応じて適宜設定することができる。
【００３６】
シールリング２０は、その内径側に設けた係止部２１が、内側軌道輪１２に設けた周方向のシール溝（凹部）３０に入り込むことによって、その熱膨張の際に、内側軌道輪１２に対して径方向へ移動可能となるように係止されている。
【００３７】
係止部２１とシール溝３０の構成について詳しく説明すると、図１に示すように、シールリング２０の係止部２１は、壁部２５の内径側端部に設けられた内径側に向く突出部２４を備えている。
【００３８】
突出部２４は、転動体１３に近い側の内側突出部２４ａと遠い側の外側突出部２４ｂとを備える。また、シール溝３０は、内側突出部２４ａが入り込む内側シール溝３０ａと、外側突出部２４ｂが入り込む外側シール溝３０ｂとを備える。
【００３９】
この突出部２４がシール溝３０に入り込むことにより、シールリング２０は、内側軌道輪１２に対して熱膨張時に径方向へ移動可能に係止されている。また、突出部２４が、軸方向に沿って二つの突出部２４ａ，２４ｂで構成されているので、その軸方向位置の異なる二つの突出部２４ａ，２４ｂによって、シールリング２０をより確実に内側軌道輪１２に係止できるようになっている。
【００４０】
転がり軸受１０の潤滑用のオイルが温度上昇する前の状態において、内側突出部２４ａが内側シール溝３０ａに入り込む深さは、外側突出部２４ｂが外側シール溝３０ｂに入り込む深さよりも相対的に浅く設定されている。このため、シールリング２０を軸受空間の開口に押し込んで固定する際に、奥側の内側突出部２４ａは、その押し込み時の弾性変形又は加熱変形により、容易に内側シール溝３０ａに嵌め込みできる。
【００４１】
また、外側突出部２４ｂの外側シール溝３０ｂに対する入り込み深さは相対的に深いので、温度上昇後の状態での外径方向への大きな熱膨張量に対しても、外側突出部２４ｂと外側シール溝３０ｂとは係止を維持できる。したがって、この膨張状態においても、転がり軸受１０内に有害な異物が入り込む隙間を生じさせない。
【００４２】
また、図２及び図３に示すように、内側突出部２４ａと外側突出部２４ｂとを周方向に沿って交互配置としているので、シールリング２０を軸受空間の開口に押し込んで固定する際に、内側突出部２４ａが外側突出部２４ｂの死角に入りにくい。このため、奥側の内側突出部２４ａが内側シール溝３０ａに嵌まっていることを目視で確認しやすい。なお、図１では、図３（ｂ）に示すシールリング２０のＩ−Ｉ断面に対応する断面図を記載し、内側突出部２４ａと外側突出部２４ｂとの位置関係及び突出高さを比較できるようにしている。
【００４３】
外側シール溝３０ｂは、内側軌道輪１２の端面に開口して形成されている。また、内側軌道輪１２の端面には、その内側軌道輪１２の内径に嵌め合いで固定される軸肩（車軸の肩部）が当接するようになっている。このため、外側突出部２４ｂを外側シール溝３０ｂへ嵌め込んだ後、軸肩で外側シール溝３０ｂの端面の開口を塞ぐことができる。
【００４４】
シールリング２０には、フィルタ２３の軸方向内側に隣接して、磁力の作用により異物を吸着する磁性体１が設けられている。磁性体１としては、永久磁石を採用することができる。
【００４５】
図１に示すように、磁性体１は、フィルタ２３とともに、シールリング２０の素材にインサート成型により一体に形成されている。
【００４６】
磁性体１をインサート成型により固定する場所は、フィルタ２３の周辺としている。具体的には、フィルタ２３の周辺において、磁性体１は、通油孔２２の内面２２ａに露出しないように、すなわち、その通油孔２２の内面２２ａから一定の深さ（被り）の位置になるように、シールリング２０の樹脂内に埋め込み固定されている。
【００４７】
磁性体１は、フィルタ２３の軸方向内側に隣接していればよく、必ずしも通油孔２２内に露出していなくてもよいが、例えば、図４（ａ）（ｂ）に示すように、磁性体１を通油孔２２の内面に露出して設けてもよい。図４（ａ）では、磁性体１の表面が通油孔２２の内面２２ａと面一になるように固定されている。図４（ｂ）では、磁性体１の一部が通油孔２２の内面２２ａから突出するように固定されている。
【００４８】
また、磁性体１は、大きい永久磁石を用いるのではなく、複数の小さい磁石を互いにある程度の間隔をおいて固定することで、磁力の影響範囲を軸受内部側に限定したり、あるいは、フィルタ２３のメッシュ部の通油部分全体を磁力でカバーするように配置したりすることが可能となる。
【００４９】
例えば、一つ一つの磁性体１の大きさ、及び、磁力の強さを小さくすることで、図１（ｂ）に示すように、磁性体１の磁力による吸着力が、フィルタ２３よりも軸方向内側部分の潤滑油に混入した異物には及びやすく、軸方向外側部分の潤滑油に混入した異物には及びにくいように設定できる。
【００５０】
図中の符号ｆで示すラインは、磁性体１の磁力による吸着力が及ぶ範囲を示している。ここで、吸着する対象物は、軸受空間内に発生すると想定される大きさの異物としている。吸着力が及ぶ範囲ｆは、シールリング２０の内面よりも大きく内側に入り込んでおり、シールリング２０の外面には至っていない。これにより、フィルタ２３よりも軸方向内側部分の潤滑油に混入した異物を吸着させやすく、軸方向外側部分の潤滑油に混入した異物を吸着させにくいようにしている。このとき、吸着力が及ぶ範囲ｆが、シールリング２０のフィルタ２３よりも外面には至らないように設定することもできる。
【００５１】
フィルタ２３の軸方向内側面と磁性体１の軸方向外側面との間には、間隔ｗが設けられている。通油孔２２を設けた部分のシールリング２０の厚さｔに対して、その中央に厚さｖのフィルタ２３の中心線ｃが位置している。磁性体１の軸方向外側面は、フィルタ２３の中心線ｃよりも軸方向内側であって、その中心線ｃから
距離：ｗ＋（ｖ／２）
の位置にある。
【００５２】
ここで、軸受空間内での異物の捕捉能力が確保される限りにおいて、磁性体１の軸方向外側面の位置を、上記の中心線ｃから距離：ｗ＋（ｖ／２）の位置よりもフィルタ側へ近づけてもよい。また、磁性体１をフィルタ２３の軸方向内側面に当接させてもよい。ただし、磁性体１が、フィルタ２３の中心線ｃよりも軸方向内側に位置していることが望ましい。磁性体１が、フィルタ２３の中心線ｃよりも軸方向内側に位置していれば、フィルタ２３の周縁部のシールリング２０への埋設深さよりも深い部分に、磁性体１が固定されていてもよい。
【００５３】
他の実施形態を図５に示す。この実施形態は、シールリング２０の通油孔２２周囲に固定する磁性体１を、細長い形状にしたものである。磁性体１としては、長孔からなる通油孔２２の伸びる方向に沿って、長手状、あるいは棒状のものを採用している。
【００５４】
この長手状又は棒状の磁性体１は、図５に示すように、通油孔２２よりも外径側に配置してもよいし、その反対側の内径側に配置してもよい。あるいは、外径側と内径側の両方に配置してもよい。
【００５５】
さらに他の実施形態を図６に示す。この実施形態は、磁性体１を、上記実施形態に示す通油孔２２のフィルタ２３の軸方向内側に隣接した部分だけでなく、フィルタ２３からやや離れた部分に配置したものである。ただし、磁性体１の磁力の影響（前記吸着力が及ぶ範囲ｆ）が、軸受の少なくとも転走面に届かない場所としている。
【００５６】
図６の実施形態では、シールリング２０の通油孔２２及びフィルタ２３が介在する方位において、係止部２１の軸方向内側寄りの部分ｍや、リップ取付部２７の軸方向内側寄りの部分ｎに磁性体１を配置している。この箇所であれば、吸着力が及ぶ範囲ｆが、シールリング２０のフィルタ２３よりも外面には至らないように設定することもできる。これらの箇所ｍ、ｎに配置される磁性体１は、通油孔２２のフィルタ２３が介在する方位に設けることが望ましい。
【００５７】
さらに他の実施形態を図７に示す。この実施形態は、磁性体１に付着した異物が脱落しにくいように、脱落した異物を捕捉する手段を設けたものである。
【００５８】
具体的には、図７に示すように、シールリング２０の磁性体１を設けた部分の軸方向内側に、磁性体１への吸着状態から脱落した異物を保持する異物溜まり３が設けられている。
【００５９】
異物溜まり３は、シールリング２０の軸方向内側面から突出する環状の部材で構成されている。シールリング２０の軸方向内側面から図中左側の突出端側へ向かうにつれて、徐々に内径が狭まっているので、異物は、この環状の部材の内側空間から外部へ飛散しにくい。
【００６０】
異物溜まり３の形状は、上記の例には限定されず、磁性体１への吸着状態から脱落した異物を保持する機能があれば、その形状や素材は自由である。例えば、異物溜まり３として、異物を保持することができる凹状の溜まり部を形成する各種の突出部材を、シールリング２０の内面に固定すればよい。その固定方法は、接着、溶着、インサート成型による一体化などを採用できる。
【００６１】
上述の各実施形態では、磁性体１をフィルタ２３とともにシールリング２０にインサート成型しているが、この図７の実施形態では、インサート成型により一体となっているフィルタ２３付きのシールリング２０に対し、磁性体１を、樹脂や接着剤で固定している。図中の磁性体固定部２で示す部分が、樹脂や接着剤の部分である。このように、磁性体１のシールリング２０への固定方法は、インサート成型以外の手法を採用することもできる。
【００６２】
このシールリング２０の作用について説明すると、油圧ポンプの使用中、転がり軸受１０の回転に伴って、オイルの一部は、転がり軸受１０の側面に向けて飛散する。潤滑油は、軸受空間の外側からシールリング２０に向かって飛散する。そして、シールリング２０に当たった潤滑油のうち、その一部は、通油孔２２のフィルタ２３に衝突する。
【００６３】
フィルタ２３に衝突した潤滑油は、そのフィルタ２３のメッシュを透過する際、潤滑油に含まれる異物のうち、フィルタ２３のメッシュサイズより大きい異物がそのメッシュで捕捉される。フィルタ２３を透過した潤滑油は、軸受空間内に流入して転がり軸受１０を潤滑する。このため、油圧ポンプの他の可動部等から排出される有害な異物が、転がり軸受１０の内部に侵入することを防止できる。
【００６４】
また、フィルタ２３が異物によって目詰まりした場合には、そのシールリング２０を新しいシールリング２０と交換することで対応することができる。
【００６５】
軸受空間内において、転がり軸受１０の回転に伴って、金属粉等の有害な異物が発生したとする。このとき、その異物は、磁性体１の磁力によってその磁性体１に吸着する。また、フィルタ２３を通過した細かい異物も吸着する。転がり軸受１０の寿命に影響するような大きな異物であれば、より磁性体１に吸着しやすい。
【００６６】
また、磁性体１は、フィルタ２３の軸方向内側に設けられるから、軸受の外部に存在する異物を軸受付近に集めてしまう自体を回避できる。また、磁性体１が軸受の外側空間に直接臨んでおらず、磁性体１の軸方向外側にはフィルタ２３が介在しているから、その磁性体１への異物の吸着量は比較的少なく、大量に吸着した異物がまとめて脱落するなどの危険が少ない
【００６７】
これらの作用により、軸受空間内に異物が浮遊することをより確実に防止することができる。
【００６８】
このシールリング２０を取付ける転がり軸受１０の種別は自由であり、例えば、転動体１３として円すいころを用いた円すいころ軸受であってもよいし、その他、転動体１３としてボールを用いた深溝玉軸受や、円筒ころを用いた円筒ころ軸受や、球面ころを用いた自動調心ころ軸受等であってもよい。
【符号の説明】
【００６９】
１  磁性体
２  磁性体固定部
３  異物溜まり
１０  転がり軸受
１１    外側軌道輪
１１ａ  軌道面
１２    内側軌道輪
１２ａ  軌道面
１２ｂ  大つば
１２ｃ  小つば
１３  円すいころ(転動体)
１４  保持器
２０  シールリング
２１  係止部
２２  通油孔
２３  フィルタ
２４  突出部
２４ａ  内側突出部
２４ｂ  外側突出部
２５  壁部
２７  リップ取付部
３０  シール溝
３０ａ  内側シール溝
３０ｂ  外側シール溝
４１  リップ部
４１ａ  当接部
【図１】
0006419478.tif 000002
【図２】
0006419478.tif 000003
【図３】
0006419478.tif 000004
【図４】
0006419478.tif 000005
【図５】
0006419478.tif 000006
【図６】
0006419478.tif 000007
【図７】
0006419478.tif 000008